(57)【特許請求の範囲】
【請求項１】
複数のユーザと複数のリモートラジオヘッドとを含む分散アンテナシステムの干渉管理のための中央基地局であって、
前記中央基地局が、
プロセッサと、
メモリと、
前記リモートラジオヘッドをクラスタに分割して周波数帯域を各クラスタに割り当て、
その結果、各クラスタのリモートラジオヘッドが同じ周波数帯域を有するように構成された周波数分割モジュールであって、
複数のクラスタが前記同じ周波数帯域を使用し、クラスタのグループが形成され、クラスタの各グループが前記同じ周波数帯域を使用する周波数分割モジュールと、
各グループのために、１または２つのクラスタを任意の所定の期間にアクティブにして前記グループの残りのクラスタを非アクティブにするように（前記アクティブになった１または２つのクラスタの一方が前記グループのサービングクラスタである）、および１つ以上のユーザを前記グループの前記サービングクラスタと関連させるように構成されたジョイントスケジューラと、
各グループの前記アクティブになった１または２つのクラスタ間にダウンリンク干渉整列を適用して、前記アクティブになった１または２つのクラスタ間のすべての干渉の送信方向を整列させるように構成された干渉整列モジュールと、
を備え、
各グループが１つのサービングクラスタおよび０または１つの干渉クラスタを有し、前記サービングクラスタが前記グループの第１の最も強い参照信号受信電力を有し、前記０または１つの干渉クラスタが前記グループの第２の最も強い参照信号受信電力を有する中央基地局。
【請求項２】
前記周波数分割モジュールは、異なる周波数帯域が前記分散アンテナシステムのクラスタの前記グループ間でどのくらい再使用されているかを決定する周波数再使用ファクタを決定する請求項１に記載の中央基地局。
【請求項３】
前記ジョイントスケジューラが、各グループのために、１または２つのクラスタを任意の所定の期間にアクティブにして残りのクラスタを非アクティブにするように、および前記サービングクラスタおよび前記０または１つの干渉クラスタのチャネル情報を含む前記グループの前記クラスタに関する前記ユーザによって提供されたチャネル情報に基づいて、１つ以上のユーザを前記グループの前記サービングクラスタと関連させるように構成される請求項１に記載の中央基地局。
【請求項４】
前記干渉整列モジュールが、ダウンリンク干渉整列のための受信機処理フィルタウェイトを決定し、前記受信機処理フィルタウェイトを前記ユーザ用のＤＭＲＳ（復調参照信号）にエンコードし、そして前記ユーザに送信するために前記ＤＭＲＳおよびデータを前記クラスタに発信するように構成される請求項１に記載の中央基地局。
【請求項５】
中央基地局と複数のユーザと複数のリモートラジオヘッドとを含む分散アンテナシステムの干渉管理のための方法であって、
前記方法が、
前記リモートラジオヘッドをクラスタに分割するステップと、
周波数帯域を各クラスタに割り当て、その結果、各クラスタのリモートラジオヘッドが同じ周波数帯域を有するステップであって、複数のクラスタが前記同じ周波数帯域を使用し、クラスタのグループが形成され、クラスタの各グループが前記同じ周波数帯域を使用するステップと、
１または２つのクラスタを任意の所定の期間にアクティブにして各グループの残りのクラスタを非アクティブにするステップであって、前記アクティブになった１または２つのクラスタの一方が前記グループのサービングクラスタであるステップと、
１つ以上のユーザを前記グループの前記サービングクラスタと関連させるステップと、
各グループの前記アクティブになった１または２つのクラスタ間にダウンリンク干渉整列を適用して、前記アクティブになった１または２つのクラスタ間のすべての干渉の送信方向を整列させるステップと、
を含み、
各グループが１つのサービングクラスタおよび０または１つの干渉クラスタを有し、前記サービングクラスタが前記グループの第１の最も強い参照信号受信電力を有し、前記０または１つの干渉クラスタが前記グループの第２の最も強い参照信号受信電力を有する方法。
【請求項６】
前記周波数帯域を割り当てるステップは、異なる周波数帯域が前記分散アンテナシステムのクラスタの前記グループ間でどのくらい再使用されているかを決定する周波数再使用ファクタを決定するステップを含む請求項５に記載の方法。
【請求項７】
前記方法が、
前記ユーザによって前記クラスタからの参照信号を監視するステップと、
前記監視に基づいて、前記ユーザのための前記第１の最も強い参照信号受信電力を有するクラスタと前記第２の最も強い参照信号受信電力を有するクラスタとを各ユーザによって識別するステップと、
をさらに含む請求項５に記載の方法。
【請求項８】
１または２つのクラスタを任意の所定の期間にアクティブにし、残りのクラスタを非アクティブにし、そして１つ以上のユーザを前記グループの前記サービングクラスタと関連させるステップが、前記サービングクラスタおよび前記０または１つの干渉クラスタのチャネル情報を含む前記グループの前記クラスタに関する各ユーザによって提供されたチャネル情報に基づいて実行される請求項５に記載の方法。
【請求項９】
前記方法が、
各ユーザによって、前記グループの前記サービングクラスタおよび前記０または１つの干渉クラスタの前記リモートラジオヘッドからのチャネルを測定して、前記チャネル情報を得るステップと、
アクティブにし、非アクティブにし、そして関連させる前記ステップのために使用されるべき前記中央基地局に、前記チャネル情報を提供するステップと、
をさらに含む請求項８に記載の方法。
【請求項１０】
ダウンリンク干渉整列を適用するステップが、ダウンリンク干渉整列のための受信機処理フィルタウェイトを決定するステップと、前記受信機処理フィルタウェイトを前記ユーザ用のＤＭＲＳ（復調参照信号）にエンコードするステップと、前記ユーザに送信するために前記ＤＭＲＳおよびデータを前記クラスタに発信するステップとを含む請求項５に記載の方法。
【請求項１１】
中央基地局と複数のユーザと複数のリモートラジオヘッドとを備える分散アンテナシステムであって、
前記中央基地局が、
プロセッサと、
メモリと、
前記リモートラジオヘッドをクラスタに分割して周波数帯域を各クラスタに割り当て、その結果、各クラスタのリモートラジオヘッドが同じ周波数帯域を有するように構成された周波数分割モジュールであって、
複数のクラスタが前記同じ周波数帯域を使用し、クラスタのグループが形成され、クラスタの各グループが前記同じ周波数帯域を使用する周波数分割モジュールと、
各グループのために、１または２つのクラスタを任意の所定の期間にアクティブにして前記グループの残りのクラスタを非アクティブにするように（前記アクティブになった１または２つのクラスタの一方が前記グループのサービングクラスタである）、および１つ以上のユーザを前記グループの前記サービングクラスタと関連させるように構成されたジョイントスケジューラと、
各グループの前記アクティブになった１または２つのクラスタ間にダウンリンク干渉整列を適用して、前記アクティブになった１または２つのクラスタ間のすべての干渉の送信方向を整列させるように構成された干渉整列モジュールと、
を含み、
各グループが１つのサービングクラスタおよび０または１つの干渉クラスタを有し、前記サービングクラスタが前記グループの第１の最も強い参照信号受信電力を有し、前記０または１つの干渉クラスタが前記グループの第２の最も強い参照信号受信電力を有する分散アンテナシステム。
【請求項１２】
前記周波数分割モジュールは、異なる周波数帯域が前記分散アンテナシステムのクラスタの前記グループ間でどのくらい再使用されているかを決定する周波数再使用ファクタを決定する請求項１１に記載の分散アンテナシステム。
【請求項１３】
各ユーザが、
ユーザプロセッサと、
ユーザメモリと、
前記クラスタからの参照信号を監視し、前記監視された参照信号に基づいて、前記ユーザのための前記第１の最も強い参照信号受信電力を有するクラスタと前記第２の最も強い参照信号受信電力を有するクラスタとを識別するように構成されたクラスタ関連モジュールと、
を含む請求項１１に記載の分散アンテナシステム。
【請求項１４】
前記ジョイントスケジューラが、各グループのために、１または２つのクラスタを任意の所定の期間にアクティブにして残りのクラスタを非アクティブにするように、および前記サービングクラスタおよび前記０または１つの干渉クラスタのチャネル情報を含む前記グループの前記クラスタに関する前記ユーザによって提供されたチャネル情報に基づいて、１つ以上のユーザを前記グループの前記サービングクラスタと関連させるように構成される請求項１１に記載の分散アンテナシステム。
【請求項１５】
グループの各ユーザが、
前記グループの前記サービングクラスタの前記リモートラジオヘッドのチャネル推定を実行するように構成されたチャネル推定モジュールと、
前記グループの少なくとも１つの干渉クラスタの前記リモートラジオヘッドの干渉推定を実行するように構成された干渉推定モジュールと、
をさらに含み、
前記チャネル推定および前記干渉推定を含む前記チャネル情報が、アクティブにし、非アクティブにし、そして関連させるために使用されるべき前記中央基地局の前記ジョイントスケジューラに、前記ユーザによって提供される請求項１４に記載の分散アンテナシステム。
【請求項１６】
前記干渉整列モジュールが、ダウンリンク干渉整列のための送信機および受信機の処理フィルタウェイトを決定し、前記受信機処理フィルタウェイトを前記ユーザ用のＤＭＲＳ（復調参照信号）にエンコードし、そして前記ユーザに送信するために前記ＤＭＲＳおよびデータを前記クラスタに発信するように構成される請求項１１に記載の分散アンテナシステム。
【請求項１７】
各ユーザが、前記ＤＭＲＳをデコードして前記受信機処理フィルタウェイトを決定するように、および前記ＤＭＲＳを用いて前記データを復調するように構成された信号プロセッサを含む請求項１６に記載の分散アンテナシステム。
【発明の詳細な説明】
【技術分野】
【０００１】
本発明は、一般に、無線システムに関し、より詳しくは、分散アンテナシステムのための干渉管理に関する。
【背景技術】
【０００２】
分散アンテナシステム（ＤＡＳ）において、分配された複数のアンテナは地理的領域に設置され、ファイバを介して、これらのアンテナを管理する中央基地局（ＣＢＳ）に接続される。アンテナは、ユーザ（ＵＥ）にデータを供給するクラスタにグループ化される。
【０００３】
周波数分割は、セルラネットワークのセル間干渉を除去するために使用される周知の概念である。図１は、セルの異なるセクタに異なる周波数帯域（ｄ１、ｄ２、ｄ３）が割り当てられ、その結果、共チャネル干渉が、異なるセルの隣接セクタで最小化されるセルラネットワークの一例を示している。例えば、セルＣ６において、周波数帯域「ｄ１」を有するセクタは、同じ周波数帯域で動作する隣接セクタを有しない。したがって、隣接セルからの共チャネル干渉が完全に除去され、弱い干渉のみが遠方のセルから受信される。
【０００４】
干渉管理に関連する他の周知の概念はダウンリンク干渉整列である。干渉整列（ＩＡ）は、共チャネル干渉のインパクトを最小化するために使用される物理層技術である。周波数分割とは異なり、ＩＡは、すべての干渉器の送信方向を整列させ、その結果、受信機のすべての干渉が同じ方向（または部分空間）に整列されるように試みる。干渉整列は、周波数と時間と空間（例えば、アンテナ）とを含む複数の次元で行うことができる。図２は、ダウンリンク送信のための干渉整列を実行する３つの基地局の概略図を示している。
【０００５】
チャンホー・スー（Ｃｈａｎｇｈｏ  Ｓｕｈ）らの（非特許文献１）において、著者は、干渉を整列させるために空間次元が使用されるダウンリンクＩＡ技術を提供している。図３（スー（Ｓｕｈ）らの元の文書の図２）は、固定プレコーダＰを各々使用したＢＳαとβを有する２つのセルネットワークのスー（Ｓｕｈ）らの図面を示している。各セルは２つのユーザを有する。行列Ｈαｋは、ＢＳαと、それに関連するｋ番目のユーザとの間のチャネル行列を示している。行列Ｇβｋは、ＢＳβと、ＢＳαに関連するｋ番目のユーザとの間の干渉チャネル行列を示している。干渉を整列させるために、ｋ番目のユーザは、ｕαｋＧβｋＰ＝０になるように、効果的な干渉チャネル行列ＧβｋＰに対応しているヌルベクトルｕαｋを演算する。次に、ユーザは、効果的なチャネル行列ｕαｋＨαｋＰをＢＳαにフィードバックする。これらのステップは、図３に示したように２つのセルのためのすべてのユーザによって繰り返される。次に、各ＢＳは全体の効果的なチャネル行列のためにＺＦプレコーディング行列を演算する（例えば、ＢＳαのための効果的なチャネル行列はＨα＝［ｕα１Ｈα１Ｐ；ｕα２Ｈα２Ｐ］である）。ＺＦプレコーディング行列は、Ｑ．Ｈスペンサー（Ｑ．Ｈ  Ｓｐｅｎｃｅｒ）、Ａ．Ｌ．スウィンドルハースト（Ａ．Ｌ．Ｓｗｉｎｄｌｅｈｕｒｓｔ）およびＭ．ハールドト（Ｍ．Ｈａａｒｄｔ）の（非特許文献２）に開示されている技術を用いて演算することができる。これらの２つの参考文献の全体の開示が参照により本明細書に援用される。
【先行技術文献】
【特許文献】
【０００６】
【特許文献１】米国特許第６，９１７，５８０号明細書の「ＯＦＤＭシステム用の周波数再使用スキーム」（Ｆｒｅｑｕｅｎｃｙ  ｒｅｕｓｅ  ｓｃｈｅｍｅ  ｆｏｒ  ＯＦＤＭ  ｓｙｓｔｅｍ）
【特許文献２】米国特許出願公開第２００７／０２４８１７８号明細書の「ＯＦＤＭＡ無線システム用のプロポーショナルフェアスケジューラ」（Ｐｒｏｐｏｒｔｉｏｎａｌ  ｆａｉｒ  ｓｃｈｅｄｕｌｅｒ  ｆｏｒ  ＯＦＤＭＡ  ｗｉｒｅｌｅｓｓ  ｓｙｓｔｅｍｓ）
【非特許文献】
【０００７】
【非特許文献１】「ダウンリンク干渉整列」（Ｄｏｗｎｌｉｎｋ  Ｉｎｔｅｒｆｅｒｅｎｃｅ  Ａｌｉｇｎｍｅｎｔ）、ｈｔｔｐ：／／ａｒｘｉｖ．ｏｒｇ／ａｂｓ／１００３．３７０７（２０１０年）
【非特許文献２】信号処理に関するＩＥＥＥ会報の「マルチユーザＭＩＭＯチャネルにおけるダウンリンク空間多重化のためのゼロフォーシング法」（Ｚｅｒｏ−ｆｏｒｃｉｎｇ  ｍｅｔｈｏｄｓ  ｆｏｒ  ｄｏｗｎｌｉｎｋ  ｓ  ｐａｔｉａｌ  ｍｕｌｔｉｐｌｅｘｉｎｇ  ｉｎ  ｍｕｌｔｉｕｓｅｒ  ＭＩＭＯ  ｃｈａｎｎｅｌｓ）（２００４年２月）の４６１〜４７１ページ
【非特許文献３】３ＧＰＰ  ＴＲ  ３６．８１４  Ｖ９．０．０の「Ｅ−ＵＴＲＡ物理層態様に関するさらなる改良（第９版）」（Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ（Ｒｅｌｅａｓｅ  ９））（２０１０年３月）、利用可能なオンライン：ｈｔｔｐ：／／ｆｔｐ．３ｇｐｐ．ｏｒｇ／ｓｐｅｃｓ／ａｒｃｈｉｖｅ／３６  ｓｅｒｉｅｓ／３６．８１４／
【発明の概要】
【発明が解決しようとする課題】
【０００８】
本発明の例示的な実施形態は、分散アンテナシステムの干渉を管理するための方法を提供する。提案した技術は、周波数分割およびクラスタスケジューリングによって干渉クラスタの数を抑制し、次に、干渉整列（ＩＡ）を使用して残りの干渉を管理する。干渉整列は、クラスタ間干渉を管理するキー技術である。上記のように、従来のＩＡアルゴリズムが複数の干渉器のために働くことができるが、干渉器の数が増加するにつれ、ＩＡアルゴリズムおよびフィードバックオーバヘッドの複雑さも指数関数的に上がり、アルゴリズムが実用的な実施に対して不適切になる。この発明の実施形態によれば、ＤＡＳベースのネットワークは、干渉クラスタの最大の数を１つに抑制するように設計することができる。このことは、周波数プランニングまたは周波数分割およびクラスタスケジューリングを介して達成される。さらに、従来のＩＡアルゴリズムに対する修正は、本システムに使用してＵＥにおける実施の複雑さを低減するために提案される。
【課題を解決するための手段】
【０００９】
本発明の態様は、複数のユーザと複数のリモートラジオヘッドとを含む分散アンテナシステムの干渉管理のための中央基地局に関する。中央基地局は、プロセッサと、メモリと、リモートラジオヘッドをクラスタに分割して周波数帯域を各クラスタに割り当て、その結果、各クラスタのリモートラジオヘッドが同じ周波数帯域を有するように構成された周波数分割モジュールとを備える。複数のクラスタが同じ周波数帯域を使用し、クラスタのグループが形成され、クラスタの各グループが同じ周波数帯域を使用する。ジョイントスケジューラは、各グループのために、多くても２つのクラスタを任意の所定の期間にアクティブにしてグループの残りのクラスタを非アクティブにするように（アクティブになった多くても２つのクラスタの一方がグループのサービングクラスタである）、および１つ以上のユーザをグループのサービングクラスタと関連させるように構成される。干渉整列モジュールは、各グループのアクティブになった多くても２つのクラスタ間にダウンリンク干渉整列を適用して、アクティブになった多くても２つのクラスタ間のすべての干渉の送信方向を整列させるように構成される。
【００１０】
いくつかの実施形態では、周波数分割モジュールは、異なる周波数帯域が分散アンテナシステムのクラスタのグループ間でどのくらい再使用されているかを決定する周波数再使用ファクタを決定する。各グループは１つのサービングクラスタおよび多くても１つの干渉クラスタを有し、サービングクラスタはグループの第１の最も強い参照信号受信電力を有し、多くても１つの干渉クラスタはグループの第２の最も強い参照信号受信電力を有する。
【００１１】
本発明の他の態様は、中央基地局と複数のユーザと複数のリモートラジオヘッドとを含む分散アンテナシステムの干渉管理のための方法に関する。本方法は、リモートラジオヘッドをクラスタに分割するステップと、周波数帯域を各クラスタに割り当て、その結果、各クラスタのリモートラジオヘッドが同じ周波数帯域を有するステップであって、複数のクラスタが同じ周波数帯域を使用し、クラスタのグループが形成され、クラスタの各グループが同じ周波数帯域を使用するステップと、多くても２つのクラスタを任意の所定の期間にアクティブにして各グループの残りのクラスタを非アクティブにするステップ（アクティブになった多くても２つのクラスタの一方がグループのサービングクラスタである）と、１つ以上のユーザをグループのサービングクラスタと関連させるステップと、各グループのアクティブになった多くても２つのクラスタ間にダウンリンク干渉整列を適用して、アクティブになった多くても２つのクラスタ間のすべての干渉の送信方向を整列させるステップとを含む。
【００１２】
具体的な実施形態では、本方法は、さらに、各ユーザによって、グループのサービングクラスタおよび多くても１つの干渉クラスタのリモートラジオヘッドからのチャネルを測定して、チャネル情報を得るステップと、アクティブにし、非アクティブにし、そして関連させるステップのために使用されるべき中央基地局に、チャネル情報を提供するステップとを含む。
【００１３】
この発明の他の態様は、中央基地局と複数のユーザと複数のリモートラジオヘッドとを備える分散アンテナシステムに関する。中央基地局は、プロセッサと、メモリと、リモートラジオヘッドをクラスタに分割して周波数帯域を各クラスタに割り当て、その結果、各クラスタのリモートラジオヘッドが同じ周波数帯域を有するように構成された周波数分割モジュールとを含む。複数のクラスタが同じ周波数帯域を使用し、クラスタのグループが形成され、クラスタの各グループが同じ周波数帯域を使用する。ジョイントスケジューラは、各グループのために、多くても２つのクラスタを任意の所定の期間にアクティブにしてグループの残りのクラスタを非アクティブにするように（アクティブになった多くても２つのクラスタの一方がグループのサービングクラスタである）、および１つ以上のユーザをグループのサービングクラスタと関連させるように構成される。干渉整列モジュールは、各グループのアクティブになった多くても２つのクラスタ間にダウンリンク干渉整列を適用して、アクティブになった多くても２つのクラスタ間のすべての干渉の送信方向を整列させるように構成される。
【００１４】
いくつかの実施形態では、各ユーザは、ユーザプロセッサと、ユーザメモリと、クラスタからの参照信号を監視し、監視された参照信号に基づいて、ユーザのための第１の最も強い参照信号受信電力を有するクラスタと第２の最も強い参照信号受信電力を有するクラスタとを識別するように構成されたクラスタ関連モジュールとを含む。ジョイントスケジューラは、各グループのために、多くても２つのクラスタを任意の所定の期間にアクティブにして残りのクラスタを非アクティブにするように、およびサービングクラスタおよび多くても１つの干渉クラスタのチャネル情報を含むグループのクラスタに関するユーザによって提供されたチャネル情報に基づいて、１つ以上のユーザをグループのサービングクラスタと関連させるように構成される。グループの各ユーザは、さらに、グループのサービングクラスタのリモートラジオヘッドのチャネル推定を実行するように構成されたチャネル推定モジュールと、グループの少なくとも１つの干渉クラスタのリモートラジオヘッドの干渉推定を実行するように構成された干渉推定モジュールとを含む。チャネル推定および干渉推定を含むチャネル情報は、アクティブにし、非アクティブにし、そして関連させるステップのために使用されるべき中央基地局のジョイントスケジューラに、ユーザによって提供される。
【００１５】
具体的な実施形態では、干渉整列モジュールは、ダウンリンク干渉整列のための送信機および受信機の処理フィルタウェイトを決定し、受信機処理フィルタウェイトをユーザ用のＤＭＲＳ（復調参照信号）にエンコードし、そしてユーザに送信するためにＤＭＲＳおよびデータをクラスタに発信するように構成される。各ユーザは、ＤＭＲＳをデコードして受信機処理フィルタウェイトを決定するように、およびＤＭＲＳを用いてデータを復調するように構成された信号プロセッサを含む。
【００１６】
本発明のこれらおよび他の特徴および利点は、具体的な実施形態の以下の詳細な説明を考慮すれば当業者に明らかになるであろう。
【図面の簡単な説明】
【００１７】
【図１】異なるセクタのセルに、異なる周波数帯域（ｄ１、ｄ２、ｄ３）が割り当てられ、その結果、共チャネル干渉が、隣接セクタの異なるセルで最小化される一例のセルラネットワークを示している。
【図２】ダウンリンク送信のための干渉整列を実行する３つの基地局を有する概略図を示している。
【図３】ダウンリンク干渉整列スキームで固定プレコーダを各々使用する２つの基地局を有する２つのセルネットワークの図面を示している。
【図４】中央基地局によって管理された分散アンテナシステムの一例を示している。
【図５】ユーザおよび中央基地局の機能ブロック図の一例を示している。
【図６】サービングクラスタと通信しおよびグループの３つの隣接干渉クラスタからの干渉に対抗するユーザを示している。
【図７】リモートラジオヘッドのクラスタグループ毎に１つの支配的な干渉クラスタを保証するためのクラスタグループ化および周波数分割を示した分散アンテナシステムの概略図である。
【図８】クラスタベースのスケジューリングを達成するための図６のグループの３つの干渉クラスタのうちの２つの非アクティブを示している。
【図９】干渉管理のためのダウンリンク干渉整列と共に使用されるジョイント周波数分割およびクラスタスケジューリングアルゴリズムを示したフロー図の一例である。
【図１０】サービングクラスタおよび干渉クラスタ用のチャネル推定プロセスを示した概略図である。
【図１１】分散アンテナシステムの干渉管理のためのＵＥ機能を示したフロー図の一例である。
【図１２】分散アンテナシステムの干渉管理のためのＣＢＳ機能を示したフロー図の一例である。
【発明を実施するための形態】
【００１８】
本発明の以下の詳細な説明では、本開示の一部を形成する添付図面を参照されたい。これらの添付図面は例示によって示され、本発明を実施し得る例示的な実施形態を限定しない。図面において、同様の番号は、複数の図の全体を通して実質的に同様の構成要素を示す。さらに、詳細な説明は種々の例示的な実施形態を提供するが、以下に説明するようにおよび図面に示したように、本発明が、本明細書で説明および例示する実施形態に限定されず、公知のようにまたは当業者に公知になっているように他の実施形態を網羅できることに留意されたい。「一実施形態」、「この実施形態」、または「これらの実施形態」に対する明細書の参照は、実施形態と関連して説明する特定の特徴、構造、または特性が本発明の少なくとも１つの実施形態に含まれ、明細書の種々の位置に見られるこれらの語句のすべてが、同じ実施形態を必ずしも指すわけではないことを意味する。さらに、以下の詳細な説明では、本発明の完全な理解を提供するために多数の具体的な詳細が記載される。しかし、本発明を実施するために、これらの具体的な詳細のすべてを必要としなくてもよいことが当業者に明らかであろう。他の状況において、周知の構造、材料、回路、プロセスおよびインタフェースは、本発明を不必要に不明瞭にしないように、詳細に説明しておらず、および／またはブロック図形態で示され得る。
【００１９】
さらに、以下の詳細な説明のいくつかの部分は、コンピュータ内の動作のアルゴリズムおよび象徴の観点から示される。これらのアルゴリズムの説明および象徴は、当業者の新規な方法の本質を他の当業者に最も効果的に伝えるための、データ処理技術で当業者によって使用される手段である。アルゴリズムは、所望の最終状態または最終結果をもたらす一連の規定ステップである。本発明において、実行されるステップは、具体的な結果を達成するために、具体的な量の物理的操作を必要とする。通常、必ずしも必要ではないが、これらの量は、記憶でき、転送でき、合成でき、比較でき、さもなければ操作できる電気的または磁気的な信号または命令の形態をとる。ときには、主に共通使用の理由で、これらの信号をビット、値、要素、符号、特性、項、数字、命令等と呼ぶことが便利であることが分かっている。しかし、これらおよび同様の用語のすべてが、適切な物理量と関連付けられるべきであり、これらの量に適用される便利な標示であるに過ぎないことに留意されたい。さもなければ具体的に指示されない限り、以下の説明から明らかなように、説明全体を通して、「処理」、「演算」、「計算」、「決定」、「表示」等のような用語を利用する説明が、コンピュータシステムまたは他の情報処理デバイスの動作およびプロセスを含むことができ、前記コンピュータシステムまたは他の情報処理デバイスが、コンピュータシステムのレジスタおよびメモリ内の物理（電子）量として表されるデータを操作して、コンピュータシステムのメモリまたはレジスタまたは他の情報記憶部、送信デバイスまたは表示デバイス内の物理量として同様に表される他のデータに変換することが認識される。
【００２０】
本発明はまた、本明細書で動作を実行するための装置に関する。この装置は、必要な目的のために特別に構成され得るか、または１つ以上のコンピュータプログラムによって選択的に作動されるかまたは再構成される１つ以上の汎用コンピュータを含み得る。このようなコンピュータプログラムは、光ディスク、磁気ディスク、リードオンリメモリ、ランダムアクセスメモリ、ソリッドステートデバイスおよびソリッドステートドライブ、または電子情報を記憶するのに適切な他の任意のタイプの媒体のような、しかしそれらに限定されないコンピュータ読み取り可能な記憶媒体に記憶されてもよい。本明細書で提供されるアルゴリズムおよび表示は、本質的に、任意の特定のコンピュータまたは他の装置に関連しない。種々の汎用システムは、本明細書の教示に従ってプログラムおよびモジュールと共に使用され得るか、または所望の方法ステップを実行するために、より特殊化された装置を構成することが便利であることを証明し得る。さらに、特定のプログラミング言語に関連して、本発明を説明しない。種々のプログラミング言語を使用して、本明細書に記載されるような本発明の教示を実施し得ることが認識される。１つまたは複数のプログラミング言語の命令は、１つ以上の処理デバイス、例えば、中央処理ユニット（ＣＰＵ）、プロセッサ、またはコントローラによって行われてもよい。
【００２１】
本発明の例示的な実施形態は、以下により詳細に説明するように、分散アンテナシステムの干渉管理のための装置、方法およびコンピュータプログラムを提供する。
【００２２】
Ａ．システムモデル
図４は、中央基地局（ＣＢＳ）よって管理される分散アンテナシステム（ＤＡＳ）の一例を示している。複数のＲＲＨ（リモートラジオヘッド）は地下鉄トンネル内部のオフィス空間等の地理的領域に設置される。ＲＲＨは、光スイッチ等を介してＣＢＳによって制御される。ＣＢＳは、ＲＲＨをオンまたはオフにする能力を有し、ＲＲＨのいずれかが送信しなければならない信号も計算し、この情報をＲＲＨに発信する。ＲＲＨは、黒っぽい円によって表されたクラスタにグループ化され、各クラスタのＲＲＨにはユニークなクラスタＩＤが割り当てられる。図４は、４つのＲＲＨおよび１つ以上のＵＥを各々含む４つのクラスタを示している。各クラスタのＲＲＨが１つまたは複数のＵＥに伝わる。
【００２３】
図５は、ＵＥおよびＣＢＳの機能ブロック図の一例を示している。ＣＢＳ５１０は、周波数分割モジュール５１２、ジョイントスケジューラ５１４、干渉整列モジュール５１６、信号プロセッサ５１８、およびメモリ５２０を有する。ＵＥ５３０は、クラスタ関連モジュール５３２、チャネル推定モジュール５３４、干渉推定モジュール５３６、信号プロセッサ５３８、およびメモリ５４０を有する。
【００２４】
図５の種々のブロックの機能について（図１１および図１２と関連して）以下に説明する。ここでは、機能のいくつかについて簡単に説明する。ＣＢＳ５１０の周波数分割モジュール５１２は、実際の送信が（いずれかのＵＥをアクティブにすることを選択するために）ＵＥスケジューリングと共に行われるかまたは行うことができるであろう前に予め決定することができるであろうクラスタ形成を（例えば、地理的考慮に基づいて）実行し、異なる周波数をクラスタに割り当てることによってクラスタのための周波数分割を実行して、クラスタ間の干渉を最小化する。通信プロセスの開始時、各ＵＥ５３０自体が（クラスタ関連モジュール５３２を介して）サービングクラスタとしてのクラスタと関連し、次に、このクラスタがデータをＵＥに送信しおよびＵＥからデータを受信する。ＵＥ関連は、受信された信号強度に基づいて行われる。すなわち、ＵＥが、すべてのクラスタからのＲＳ（参照信号）電力を監視し、ＵＥ自体が、最高電力を有するクラスタと関連する。ＵＥは、他のＵＥに送信しているクラスタからの干渉に対抗する。この現象は、サービングクラスタと通信するＵＥがグループの３つの隣接干渉クラスタからの干渉に対抗することを示している図６に示されている。
【００２５】
Ｂ．クラスタ間干渉の管理
隣接クラスタからの干渉は、このようなシステムの高いデータレートの達成に対する主要な障害である。その障害は、ＵＥが隣接ＢＳからの干渉に対抗する従来のセルラシステムと同様のものである。しかし、分散アンテナシステムでは、ＲＲＨのすべてのクラスタがＣＢＳによって調整され、このことは、干渉を管理する高性能な信号処理の可能性をもたらす。ダウンリンク干渉整列（ＩＡ）の技術を使用して、隣接クラスタからの干渉を管理することが提案される。しかし、１つのみの支配的な干渉器がある場合には、従来のＩＡアルゴリズムが適切に働く。この発明の実施形態によれば、インテリジェント周波数の分割およびスケジューリングを適用することが提案されるので、各ＵＥのために、１つのサービングクラスタおよび１つの支配的な干渉クラスタが存在する。
【００２６】
Ｂ．１  クラスタグループ化および周波数分割
従来の方法によれば、周波数分割は、異なる周波数帯域を異なるクラスタ（またはセルラネットワークのセル）に割り当て、その結果、クラスタ間干渉が最小化されることを含む。この発明では、周波数分割を実行しつつ、干渉除去の基準を緩和することが提案される。したがって、図７に示したように、同じ周波数帯域を用いた複数の隣接共チャネルクラスタが存在するように、周波数分割を実行することが必要である。これらの複数の共チャネルクラスタは、激しい干渉を互いに生じる可能性がある。このことを回避するために、最大２つのアクティブな共チャネルクラスタが存在し、その結果、１つのみのクラスタから支配的な干渉が生じるように、ダウンリンクスケジューリングを使用することが提案される。このことについては、段落Ｂ．２の「ＵＥおよびクラスタのスケジューリング」で説明する。ジョイントスケジューラ５１４は、いずれかのＵＥをアクティブにすること、およびいずれかのクラスタをオンおよびオフにすることを選択することによって、すべてのＵＥおよびクラスタのスケジューリングを実行する。
【００２７】
次に、支配的な干渉のストリームを整列させ、それらのストリームが１つのみの次元を占めるように、干渉整列技術が使用される。ＣＢＳは周波数再使用ファクタ（すなわち、異なる周波数帯域がネットワークでどのくらい再使用されているか）を決定する。例えば、（特許文献１）（その全体が参照により本明細書に援用される）を参照されたい。クラスタは、図７に示したような異なるグループ（Ｇｎ）にグループ化される。所定のグループのすべてのクラスタがダウンリンク送信のための同じ周波数帯域を使用する。各グループは、クラスタの近接に応じて複数のクラスタを有してもよい。各グループは、最大２つのクラスタがグループ内で任意の所定の期間にアクティブであることを保証するクラスタレベルスケジューラを有する。グループ内に発生する支配的な干渉に対抗するために、ダウンリンク干渉整列技術が各クラスタによって使用される。
【００２８】
Ｂ．２  ＵＥおよびクラスタのスケジューリング
周波数分割に加えて、ＣＢＳは、クラスタがデータをＵＥに送信するかまたはＵＥからデータを受信することを防止するようにいくつかのクラスタをオフにすることもでき、したがって、隣接ＵＥクラスタ送信プロセスに生じるであろう干渉を除去する。例えば、図６では、ＵＥが３つのクラスタからの干渉に対抗するが、それらのクラスタのうちの２つがオフにされる場合には干渉が低減される。このことは、クラスタベースのスケジューリングを示している図８に示されている。提案したスケジューリングスキームは、２つの構成要素、すなわち、クラスタスケジューリングおよびＵＥスケジューリングを有する。クラスタスケジューリングにおいて、ＵＥ５３０のクラスタ関連モジュール５３２は１つの干渉クラスタ（＃１）を支配的な干渉クラスタとして選択し、他の２つの干渉クラスタ（＃２と＃３）はＣＢＳ５１０によってオフにされる。各周波数グループにおいて、スケジューリングされたクラスタの数は２つである。このことは、グループ内で点線のクラスタがスケジューリングアルゴリズムを介してオフになっている図７にも示されている。クラスタスケジューリングが各周波数グループで完了された後、１つ以上のＵＥが、例えば、（特許文献２）（その全体が参照により本明細書に援用される）に開示されているラウンドロビンスケジューリングスキームおよびプロポーショナルフェアスケジューリングスキーム等のある既存のスケジューリングスキームに基づいて、アクティブな各クラスタのためにスケジューリングされる。図８に見られるように、ＵＥは、干渉情報およびチャネル情報をサービングクラスタに発信し、サービングクラスタおよび支配的な干渉クラスタ１から参照信号（ＲＳ）を受信する。
【００２９】
図９は、干渉管理のためのダウンリンク干渉整列と共に使用されるジョイント周波数分割およびクラスタスケジューリングアルゴリズムを示したフロー図の一例である。ステップ９０２では、ＣＢＳは、周波数再使用ファクタ（すなわち、異なる周波数帯域がネットワークでどのくらい再使用されているか）を決定する。ステップ９０４では、ＣＢＳは、ＲＲＨクラスタの複数の周波数グループを形成し、グループ内のクラスタ用の同じ周波数を使用する。ステップ９０６では、ジョイントスケジューラ５１４（あるいはグループスケジューラまたはクラスタレベルスケジューラ）は、最大２つのクラスタがグループ内で任意の所定の期間にアクティブであることを保証する。各期間における詳細な手順は以下のようなものである。ｉ）ジョイントスケジューラ５１４が各周波数グループ用の２つのアクティブなクラスタを決定する。ｉｉ）ＣＢＳが、ジョイントスケジューラ５１４の決定に基づいて、「電源オン」の命令を選択されたＲＲＨクラスタに発信し、「電源オフ」の命令をクラスタの残りに発信する。ｉｉｉ）「電源オン」の命令を受信するクラスタは、それらのクラスタが先の期間に「電源オフ」の状態にあった場合には自分自身をオンにし、それらのクラスタが先の期間に「電源オン」の状態にあった場合には自分自身の「電源オン」を保持する。ｉｖ）「電源オフ」の命令を受信するクラスタは、それらのクラスタが先の期間に「電源オン」の状態にあった場合には自分自身をオフにし、それらのクラスタが先の期間に「電源オフ」の状態にあった場合には自分自身の「電源オフ」を保持する。ステップ９０８では、ＣＢＳは、グループ内の２つのアクティブなクラスタ間にダウンリンクＩＡ技術を使用して、すべての干渉の送信方向を整列させ、これによって、残りのクラスタ間干渉を管理する。
【００３０】
Ｃ．チャネル推定
ＵＥは、そのサービングクラスタおよびその支配的な干渉クラスタに対するチャネルを推定しなければならない。このことは、ＬＴＥおよびＬＴＥアドバンスド等の従来のセルラネットワークの枠内で達成することができる。例えば、（非特許文献３）を参照されたい。図１０は、サービングクラスタおよび干渉クラスタ用のチャネル推定プロセスを示した概略図である。クラスタは、異なるＲＲＨからの参照信号（ＲＳ）を発信し、ＵＥは各ＲＲＨからのチャネルを測定することができる。ＵＥおよびクラスタは量子化チャネルの可能値の共通のコードブックを維持する。ＵＥはそのサービングクラスタに量子化チャネル推定を返信する。サービングクラスタおよび干渉クラスタはＣＢＳによって調整されるので、ＣＢＳはこれらの２つのクラスタからのＲＳ送信を時間多重化することができ、その結果、ＵＥが干渉チャネルを同様に測定することができる。
【００３１】
ときには、干渉チャネルの正確な性質を測定することが困難である可能性がある一方で、ＵＥが干渉チャネル電力を測定することがより容易になる可能性がある。このことは、瞬間行列自体よりもむしろ干渉チャネル行列の共分散の平均値に関連する。複数のクラスタに対するチャネルの測定がＬＴＥアドバンスドＣｏＭＰのチャネル測定に関連し、ＬＴＥアドバンスドＣｏＭＰのチャネル測定のために提案されたアルゴリズムを、複数のクラスタに対するチャネルの測定のために使用できることに留意されたい。
【００３２】
Ｄ．干渉整列
周波数分割およびクラスタスケジューリングを通して、各ＵＥは１つのみの支配的な干渉クラスタおよびそのサービングクラスタを確認する。ＣＢＳは、上記のようにＩＡアルゴリズムを実行することをこれらの２つのクラスタに命令することができる。これにより、効率的な干渉管理が得られ、高いレートがもたらされる。この発明では、ＵＥの複雑さを低減するために従来のＩＡの修正が提案される。従来のダウンリンクＩＡにおいて、ＵＥは、チャネルを測定し、受信機フィルタを計算し、そして効果的なチャネル（受信機フィルタによって処理された実際のチャネル）の情報を送信機に伝達する。このことは受信機における余分な信号処理を必要とするであろう。既存のセルラ規格のガイドラインに従って、ＣＢＳである送信機における信号処理が排除される。ＵＥは、自身とサービングクラスタおよび干渉クラスタとの間のチャネルについて、サービングクラスタに通知する。ＣＢＳは、受信機フィルタを計算し、実際のデータの送信前にこの情報をＵＥに発信する。このことは、ＬＴＥ（ロングタームエボリューション）およびＬＴＥアドバンスド（上で参照した（非特許文献３）参照）に使用されるＤＭＲＳ（復調参照信号）等のプレコードされたＲＳを介して行うことができるであろう。図１１および図１２には、ＵＥおよびＣＢＳの機能がそれぞれ示されている。
【００３３】
図１１は、分散アンテナシステムの干渉管理のためのＵＥ機能を示したフロー図の一例である。図１１のステップはＵＥによって実行される。図１２は、分散アンテナシステムの干渉管理のためのＣＢＳ機能を示したフロー図の一例である。図１２のステップはＣＢＳによって実行されるが、ステップのいくつかは、代わりに以下に示すように、（ＣＢＳ命令に従って）１つまたは複数のクラスタによって実行されてもよい。
【００３４】
ステップ１２０２では、ＣＢＳが周波数分割およびクラスタ形成を実行する（上の段落Ｂ．１参照）。ステップ１２０４では、ＣＢＳが、その後ブロードキャストされる各クラスタ用の参照信号（ＲＳ）をＵＥに発信する。ステップ１１０２では、ＵＥが、異なるクラスタからのＲＳを監視する。ステップ１１０４では、ＵＥが、最も強い参照信号受信電力（ＲＳＲＰ）を有するクラスタを選択し、そのクラスタをサービングクラスタとして指定する。ステップ１１０６では、ＵＥが、第２の最も強いＲＳＲＰを有するクラスタを選択し、そのクラスタを支配的な干渉クラスタとして指定する。ステップ１１０８では、ＵＥが、支配的な干渉クラスタに関する情報をサービングクラスタに通信する。ステップ１２０６では、次のＵＥフィードバックに基づいて、ＣＢＳが、各クラスタに対するＵＥとの関連を決定し、各ＵＥ用の支配的な干渉クラスタを決定する（またはサービングクラスタが決定を行い、ＣＢＳに通知する）。
【００３５】
ステップ１１１０では、各グループのＵＥがサービングクラスタおよび支配的な干渉クラスタのすべてのＲＲＨからのチャネルを測定する（上の段落Ｃのチャネル推定参照）。これは、干渉チャネルの電力を測定することによる干渉推定を含む。ステップ１１１２では、ＵＥが、チャネル推定および干渉推定に関するチャネル情報をサービングクラスタに通信する。ステップ１２０８では、ＣＢＳが、各ＵＥ用のサービングクラスタおよび支配的な干渉クラスタに関するチャネル情報を受信する（各グループのサービングクラスタは、グループのＵＥからの情報を受信することおよび情報をＣＢＳに転送することに関係し得る）。ステップ１２１０では、ＣＢＳが、ＵＥおよびクラスタに関する受信された情報に基づいて、各周波数グループのアクティブなクラスタとスケジューリングされた各クラスタの１つまたは複数のアクティブなＵＥとをスケジューリングすることによって（上の段落Ｂ．２参照）、ＵＥおよびクラスタのジョイントスケジューリングを実行する。
【００３６】
ステップ１２１２では、ＣＢＳが干渉整列のための送信機および受信機の処理フィルタウェイトを決定する（すなわち、図３に示したようにｕαｋＧβｋＰ＝０であるように、ｋ番目のＵＥ用のヌルベクトルｕαｋが、効果的な干渉チャネル行列ＧβｋＰに対応している）。代わりに、ＵＥは、受信機処理フィルタウェイトを決定し、それらのウェイトをＣＢＳに提供することができる。このタスクをＵＥの代わりにＣＢＳに割り当てることは、ＵＥの複雑さを低減する利点を有する。ステップ１２１２で実行された受信機フィルタ計算に基づいて、ステップ１２１４においてＣＢＳが、受信機フィルタ情報を各ＵＥ用のＤＭＲＳにエンコードし、（例えば、パケットまたはフレームの）ＵＥに送信するためにＤＭＲＳおよびデータをクラスタに送信する。ステップ１１１４では、ＵＥがサービングクラスタを介して、ＣＢＳから受信されたＤＭＲＳをデコードして、ＤＭＲＳにエンコードされた受信機処理フィルタウェイト（またはＩＡビームフォーミングウェイト）を決定する。ステップ１１１６では、ＵＥが、パケットまたはフレームのＤＭＲＳを用いて、受信されたパケットまたはフレームに含まれるデータを復調する。
【００３７】
図５および図１２を参照すると、ステップ１２０２が周波数分割モジュール５１２によって実行され、ステップ１２０４がＣＢＳ５１０の信号プロセッサ５１８によって実行される。さらに、信号プロセッサ５１８がステップ１２０６でクラスタ情報、すなわち、各ＲＲＨのクラスタＩＤを受信し、チャネルがステップ１２０８で情報を推定する。ジョイントスケジューラ５１４がステップ１２１０でＵＥおよびクラスタのジョイントスケジューリングを実行する。干渉整列モジュール５１６がステップ１２１２でフィルタウェイトを決定する。信号プロセッサ５１８が、ステップ１２１４で受信機フィルタ情報をエンコードし、ステップ１２１６で、ＵＥに送信するためにＤＭＲＳおよびデータをクラスタに発信する。
【００３８】
図５および図１１を参照すると、ＵＥ５３０のクラスタ関連モジュール５３２が、ステップ１１０２、１１０４、１１０６、および１１０８を実行して、支配的な干渉クラスタに関する情報をサービングクラスタに通信する。ステップ１１１０では、チャネル推定モジュール５３４がチャネル推定を実行し、干渉推定モジュール５３６が干渉推定を実行し、ステップ１１１２では、チャネル推定モジュール５３４および干渉推定モジュール５３６が、チャネル推定情報および干渉推定情報をチャネル情報としてグループのサービングクラスタにそれぞれ通信する。信号プロセッサ５３８がステップ１１１４でデコードを実行し、ステップ１１１６で復調を実行する。
【００３９】
この発明は、分散アンテナシステムの干渉を管理する方法を概説する。使用される方法は、基地局調整を行う将来のセルラシステムに適用することもできるであろう。両方のこれらのシナリオはセルラコミュニケーションのＬＴＥアドバンスド規格に記載されている。上記の技術はこれらのシステムの効率的な動作をもたらすことができる。
【００４０】
当然、図４に示した分散アンテナシステムおよび図５に示した機能ブロック図は、本発明を実施し得る純粋に例示的なシステムであり、本発明は特定のハードウェアまたはソフトウェアの構成に限定されない。本発明を実施するコンピュータおよび記憶システムは、上記の発明を実施するために使用されるモジュール、プログラムおよびデータ構造を記憶して読み取ることができる公知のＩ／Ｏデバイス（例えば、ＣＤドライブおよびＤＶＤドライブ、フレキシブルディスクドライブ、ハードドライブ等）を有することもできる。これらのモジュール、プログラムおよびデータ構造を、このようなコンピュータ読み取り可能な媒体でエンコードすることができる。例えば、本発明のデータ構造は、本発明に使用されるプログラムがある１つ以上のコンピュータ読み取り可能な媒体とは独立して、コンピュータ読み取り可能な媒体に記憶することができる。システムの構成要素は、任意の形式または媒体のデジタルデータ通信、例えば、通信ネットワークによって相互接続することができる。通信ネットワークの例は、ローカルエリアネットワーク、ワイドエリアネットワーク、例えば、インターネット、無線ネットワーク、ストレージエリアネットワーク等を含む。
【００４１】
本説明において、多数の詳細は、本発明の完全な理解を提供する説明目的のために記載されている。しかし、本発明を実施するために、これらの具体的な詳細のすべてが必要になるとは限らないことが当業者には明らかであろう。本発明が、フローチャート、フロー図、構造図、またはブロック図として通常示されるプロセスとして説明され得ることにも留意されたい。フローチャートは一連のプロセスとしての動作を示しているが、多数の動作を並行してまたは同時に実行することができる。さらに、動作の順序を再配置してもよい。
【００４２】
当分野で知られているように、上記の動作は、ハードウェア、ソフトウェア、またはソフトウェアおよびハードウェアのある組み合わせによって実行することができる。本発明の実施形態の種々の態様は、回路および論理デバイス（ハードウェア）を用いて実施されてもよく、一方、他の態様は、機械読み取り可能な媒体（ソフトウェア）に記憶された命令を用いて実施されてもよく、前記命令がプロセッサによって実行された場合、プロセッサが、本発明の実施形態を実施するための方法を実行する。さらに、本発明のいくつかの実施形態をハードウェアのみで実行してもよく、これに対して、他の実施形態をソフトウェアのみで実行してもよい。その上、説明してきた種々の機能を、単一のユニットで実行することができるか、または複数の構成要素にわたって多数の方法で拡張することができる。ソフトウェアによる実行時、本方法は、コンピュータ読み取り可能な媒体に記憶された命令に基づいて、汎用コンピュータ等のプロセッサによって実行することが可能である。所望ならば、命令は、圧縮および／または暗号化された形式の媒体に記憶することができる。
【００４３】
上記のことから、本発明が、分散アンテナシステムの干渉管理のためのコンピュータ読み取り可能な媒体に記憶された方法、装置およびプログラムを提供することが明らかであろう。さらに、具体的な実施形態について本明細書で例示および説明してきたが、当業者は、開示されている具体的な実施形態を、同じ目的を達成するように計算される任意の構成に置き換え得ることを認識するであろう。本開示が本発明の任意のおよびすべての適合または変更を網羅するように意図され、以下の特許請求の範囲に使用される用語が、明細書に開示されている具体的な実施形態に対して本発明を限定すると解釈されるべきではないことを理解されたい。むしろ、本発明の範囲は以下の特許請求の範囲によってもっぱら決定されるべきであり、これらの特許請求の範囲は、このような特許請求の範囲が表題とされる全範囲の等価物と共に、請求項の解釈の確立された原理に従って解釈されるべきである。
【符号の説明】
【００４４】
１  サービングクラスタおよび支配的な干渉クラスタ
５１０  ＣＢＳ
５１２  周波数分割モジュール
５１４  ジョイントスケジューラ
５１６  干渉整列モジュール
５１８  信号プロセッサ
５２０  メモリ
５３０  ＵＥ
５３２  クラスタ関連モジュール
５３４  チャネル推定モジュール
５３６  干渉推定モジュール
５３８  信号プロセッサ
５４０  メモリ
Ｃ６  セル
ｄ１  周波数帯域
ｄ２  周波数帯域
ｄ３  周波数帯域
Ｐ  固定プレコーダ。
【図１】
0005592998.tif 000002
【図２】
0005592998.tif 000003
【図３】
0005592998.tif 000004
【図４】
0005592998.tif 000005
【図５】
0005592998.tif 000006
【図６】
0005592998.tif 000007
【図７】
0005592998.tif 000008
【図８】
0005592998.tif 000009
【図９】
0005592998.tif 000010
【図１０】
0005592998.tif 000011
【図１１】
0005592998.tif 000012
【図１２】
0005592998.tif 000013